(57)【要約】      （修正有）【課題】使用方法に応じて形状が変えられ、またそのことで従来のものには無かった創造的な楽しさが付加され、積み上げた場合などにも連結部分によって一定の安定性を保つことができ、腰掛けることのできるスツールを提供する。【解決手段】複数の構成体から成るスツールであって、三枚の側板部材１と一枚の補強部材から成る構成体５を連結部材２によって連結させる。筒状の胴体部分の内部にリブ構造を持たせ、筒状の胴体部分の断面が正多角形であることが好ましい。【選択図】図１
0003139035.tif 000002
【実用新案登録請求の範囲】
【請求項１】
多角形の断面を持つ同形の筒状の胴体部分複数を、その断面と同じ形状の二つの多角形が任意の一辺でつながっている線対称の形をした部材により連結させることができる特徴を持ち、連結されていない面は同じ形状の多角形の部材によりふさぐことができる連結式スツール。
【請求項２】
筒状の胴体部分の内部にリブ構造を持たせた請求項１記載の連結式スツール。
【請求項３】
筒状の胴体部分の断面が正多角形である請求項1または請求項２記載の連結式スツール。
【請求項４】
一部又は全ての部材がダンボール製である請求項１または請求項２または請求項３記載の連結式スツール。
【請求項５】
部材のまま提供され、部材同士を差し込んで組み立てる請求項１または請求項２または請求項３または請求項４記載の連結式スツール。
【考案の詳細な説明】
【技術分野】
【０００１】
本考案は、使い方に応じて形状を変えることのできるスツールに関するものである。
【背景技術】
【０００２】
従来のスツールは座るという目的のために創出されており、ひとつひとつが独立している。また、それらを積み木状に積み上げるなどした場合には、安定性を欠く。
【考案の開示】
【考案が解決しようとする課題】
【０００３】
使用方法に応じて形状が変えられ、またそのことで従来のものには無かった創造的な楽しさが付加され、積み上げた場合などにも連結部分によって一定の安定性を保つことができ、腰掛けることのできるスツールを提案しようとするもの。
【課題を解決するための手段】
【０００４】
上記目的を達成するために、本考案のスツールは複数の構成体の多角柱の上面あるいは下面を形成する部材がつながっていることを特徴とする。
【考案の効果】
【０００５】
本考案のスツールは、構成体を無限に増やして組み立てることができ、複数の構成体がそれぞれの上面及び下面の多角形の一辺で連結しているため、様々な用途に合わせ、最適な形に変化させることができる。
【０００６】
本考案のスツールは、天板と組み合わせてテーブルの脚部として使用するなど、別途用意する物と組み合わせることで、様々な家具として利用することができる。
【０００７】
本考案のスツールは、構成体を無限に増やして組み立てることができ、複数の構成体をそれぞれの上面及び下面の多角形の任意の一辺で連結できるため、組立時にその完成像を想像させるなど知育的組み立て玩具としても活用される。
【０００８】
本考案のスツールは適宜彩色を施すことで、カラフルで、綺麗で、外見上の体裁が一層良好となるようにすることができる。
【０００９】
本考案の請求項2記載のスツールは、各構成体の上面及び下面を内部のリブ構造が支えるため、丈夫で耐久性に優れたものである。
【００１０】
本考案の請求項4記載のスツールは、ダンボール製のため軽量で、扱いの至便なものである。
【００１１】
本考案の請求項4記載のスツールは、ダンボール製のため回収やリサイクルが容易で環境負荷の低減に効果がある。
【００１２】
本考案の請求項4記載のスツールは、ダンボール製のため外面等に絵を描くことができる。
【００１３】
本考案の請求項4記載のスツールは、ダンボール製のため一般的なスツールよりも安価に製作することができる。
【００１４】
本考案の請求項５記載のスツールは、糊や鋏等の道具を使用せずに部材同士を差し込むだけで組み立てることができるため、組立時の安全性が高く児童向けの組み立てキットに適している。
【考案を実施するための最良の形態】
【００１５】
スツールの構成体を形成する部材の一部を二つの構成体共有のものとすることで構成体同士を連結させる。これを繰り返すことで構成体を任意の数だけ増やし、連結部分を折り曲げることによってスツール全体が様々な形状に変化する。以下にその具体例を示す。
【実施例】
【００１６】
座面が正六角形である一例を取って図示例に基づいて説明する。図２〜５には四種類の組立部材を示している。このうち図２の側板部材１は、同部材三枚でスツールの側面部分及びリブ部分を成すものであって、スリット溝１a、１b、折り目線１ｃ、１d、１eを持つ。
【００１７】
また、図３に示した連結部材２は、二つの正六角形の六辺上に差込板２aを持ち、それぞれの正六角形の差込板２aのうち一つずつが長方形状の連結板２bでつながっており、折り目線２ｃ、２d、２eを持つ。
【００１８】
図４に示した補強部材３は三枚の側板部材１によって形成される胴体部分の内部でこれらををつなぎ合わせスツールの強度を高めるための部材であり、正六角形の六つの頂点それぞれから、中心点に向かって切り落とされたスリット溝３aを持つものである。
【００１９】
図５に示した蓋部材４は、正六角形の六辺上に差込板４aを持ち、折り目線４bを持つものである。なお、この蓋部材４は連結部材２を折り目線２eに沿って切り離して作成することもできるものである。
【００２０】
次に、上記部材の組立手順を説明する。図６に示すように三枚の側板部材１を折り目線で折り曲げ、スリット溝１a、１bを補強部材３のスリット溝３aに差し込む。このように側板部材１と補強部材３を組み合わせた物が構成体５であり、これを連結させたい数だけ用意する。次に、連結部材２を折り目線２ｃで折り曲げ、差込板２aを二つの構成体５の正六角形の筒の辺に沿うようにして差し込む。この際、折り目線２d、２eを折り曲げることにより、連結板２ｂも接続している差込板２aとともに構成体5に差し込む。こうして連結された二つの構成体５のうち片方の構成体の連結部材２が差し込まれていない面に、同様の方法で別の連結部材２の差込板２a及び連結板２ｂを差し込み、その連結部材のもう一方の差込板２a及び連結板２ｂはさらに別の構成体５に差し込む。これを繰り返すことによって構成体５を連結させていくが、用意した全ての構成体５を連結部材２によって連結させた後、構成体５の連結部材２が差し込まれていない残りの二面に、それぞれ蓋部材４の差込板４aを折り目線４ｂで折り曲げて差し込んでスツールを完成させる。図１は二つの構成体５で構成される場合の組立図である。
【００２１】
尚、構成体の具体的構成、形状、寸法、材質、色彩、は、図示例のもの等に限定されることなく、適宜自由に設定、変更することができるものである。
【図面の簡単な説明】
【００２２】
【図１】本考案のスツールのうち座面が正六角形で二つの構成体５で構成される場合の組み立て時の斜視図である。
【図２】本考案のスツールのうち座面が正六角形の場合の側板部材の平面図である。
【図３】本考案のスツールのうち座面が正六角形の場合の連結部材の平面図である。
【図４】本考案のスツールのうち座面が正六角形の場合の補強部材の平面図である。
【図５】本考案のスツールのうち座面が正六角形の場合の蓋部材の平面図である。
【図６】本考案のスツールのうち座面が正六角形の場合の構成体の組立途中の様子を真上から見た図及び組立後の斜視図である。
【符号の説明】
【００２３】
１  側板部材
１a、１b  スリット溝
１c、１d、１e  折り目線
２  連結部材
２a  差込板
２b  連結板
２c、２d、２e  折り目線
３  補強部材
３a  スリット溝
４  蓋部材
４a  差込板
４b  折り目線
５  三枚の側板部材１と一枚の補強部材３を組み合わせた構成体
【図１】
0003139035.tif 000003
【図２】
0003139035.tif 000004
【図３】
0003139035.tif 000005
【図４】
0003139035.tif 000006
【図５】
0003139035.tif 000007
【図６】
0003139035.tif 000008